【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
第１の色のインクに対応する第１の多値データ、前記第１の色と別の第２の色のインクに対応する第２の多値データ、および前記第１の色および前記第２の色よりも明度が高い第３の色のインクに対応する第３の多値データを取得する取得手段と、
閾値マトリクスに配列された複数の閾値のうち、処理対象の画素の位置に応じた閾値を用いて、前記取得手段によって取得された前記第１の多値データ、前記第２の多値データおよび前記第３の多値データを量子化することにより、前記第１の色のインクに対応する第１の量子化データ、前記第２の色のインクに対応する第２の量子化データおよび前記第３の色のインクに対応する第３の量子化データを生成する生成手段と、
を備え、
前記第１の量子化データ、前記第２の量子化データおよび前記第３の量子化データに基づいてインクを吐出する記録手段により記録媒体に画像を記録するためのデータ処理を行う画像処理装置であって、
前記生成手段は、前記第１の多値データと第１の閾値マトリクスに配された閾値とを比較して前記第１の量子化データを生成し、前記第２の多値データと前記第１の閾値マトリクスと異なる第２の閾値マトリクスに配された閾値とを比較して前記第２の量子化データを生成し、前記第２の多値データと比較される閾値と前記第２の多値データと前記第３の多値データとに基づいて前記第３の量子化データを生成することを特徴とする画像処理装置。
【請求項２】
前記生成手段は、前記第２の多値データに基づいて前記第２の多値データとの比較に用いられた閾値をオフセットし、当該オフセットされた閾値と前記第３の多値データとを比較して前記第３の量子化データを生成することを特徴とする請求項１に記載の画像処理装置。
【請求項３】
前記第３の色はイエローであり、前記第１の色および前記第２の色の一方はシアン、他方はマゼンタであることを特徴とする請求項１または２に記載の画像処理装置。
【請求項４】
前記生成手段は、前記第１の多値データと前記第１の閾値マトリクスに配された閾値とを比較して前記第１の量子化データを生成し、前記第１の色のインク、前記第２の色のインク及び前記第３の色のインクのいずれとも異なる色の第４の色のインクに対応する第４の多値データと、前記第１の閾値マトリクスに配された閾値と、前記第１の多値データと、に基づいて前記第４の色に対応する第４の量子化データを生成することを特徴とする請求項１または２に記載の画像処理装置。
【請求項５】
前記第１の色はブラック、前記第２の色はマゼンタ、前記第３の色はイエロー、前記第４の色はシアンであることを特徴とする請求項４に記載の画像処理装置。
【請求項６】
ハイライトから中間濃度の領域において、前記第１の色のインクを用いた記録は行われないことを特徴とする請求項４または５に記載の画像処理装置。
【請求項７】
ＲＧＢデータを記録に用いられるインクに対応する多値データに変換する変換手段をさらに備え、前記取得手段は前記変換手段によって変換されることで得られた前記多値データを取得することを特徴とする請求項１ないし６のいずれか１項に記載の画像処理装置。
【請求項８】
中間濃度より低い低階調領域の濃度を示す多値データの入力値に対して得られるドットパターンの周波数解析結果において、低周波領域の強度が高周波領域の強度よりも小さいことを特徴とする請求項１ないし７のいずれか１項に記載の画像処理装置。
【請求項９】
前記第１の閾値マトリクスと前記第２の閾値マトリクスは、それぞれブルーノイズ特性を有していることを特徴とする請求項１ないし８のいずれか１項に記載の画像処理装置。
【請求項１０】
前記第１の閾値マトリクスおよび前記第２の閾値マトリクスのそれぞれは、中間濃度より低い低階調領域の濃度を示す多値データの入力値に対して得られるドットパターンの周波数解析結果において、最大強度への立ち上がりを伴うピークに相当する周波数であるプリンシパル周波数より低い周波数の強度がプリンシパル周波数より高い周波数のパワーよりも抑えられていることを特徴とする請求項１ないし９のいずれか１項に記載の画像処理装置。
【請求項１１】
量子化データは３値以上のデータであることを特徴とする請求項１ないし１０のいずれか１項に記載の画像処理装置。
【請求項１２】
量子化データは２値データであることを特徴とする請求項１ないし１０のいずれか１項に記載の画像処理装置。
【請求項１３】
前記記録手段を更に備えることを特徴とする請求項１ないし１２のいずれか１項に記載の画像処理装置。
【請求項１４】
複数の色材を用いて記録媒体に画像を記録するためのデータを処理する画像処理装置であって、
処理対象の画素について、前記複数の色材のそれぞれに対応する多値データを取得するデータ取得手段と、
複数の閾値が配列されて構成される閾値マトリクスの複数の中から１つの閾値マトリクスを、前記複数の色材のそれぞれについて設定し、設定された閾値マトリクスより前記処理対象の画素に対応する第１の閾値を取得する閾値取得手段と、
前記複数の色材のそれぞれについて、前記閾値取得手段により取得された第１の閾値に対して所定の処理を施すために参照する参照データを前記複数の色材の多値データより設定する参照色設定手段と、
前記複数の色材のそれぞれについて、前記第１の閾値に対し、前記参照色設定手段により設定された前記参照データに基づいて前記所定の処理を施すことにより、第２の閾値を算出する算出手段と、
前記複数の色材のそれぞれについて、前記多値データと前記第２の閾値を比較することにより、ドットを記録するための量子化データを生成する生成手段と
を備え、
前記閾値取得手段および前記参照色設定手段は、前記量子化データによって定まる前記複数の色材それぞれのドットパターンの粒状感が、前記複数の色材それぞれのドットパターンを混在して得られる混在ドットパターンの粒状感よりも小さくなるように、前記複数の色材のそれぞれについて前記閾値マトリクスと前記参照データを設定することを特徴とする画像処理装置。
【請求項１５】
前記所定の処理は、前記第２の閾値に基づいて前記生成手段が生成する量子化データによって定まるドットパターンが、前記第１の閾値に基づいて前記生成手段が生成する量子化データによって定まるドットパターンと排他となるようにするための処理であることを特徴とする請求項１４に記載の画像処理装置。
【請求項１６】
前記所定の処理は、前記第１の閾値に対し、前記参照データに基づいてオフセットをかける処理であることを特徴とする請求項１５に記載の画像処理装置。
【請求項１７】
前記閾値取得手段は、前記複数の色材のうち相対的に明度の低い複数の色材に対し、互いに異なる閾値マトリクスを設定し、
前記参照色設定手段は、当該複数の色材に対し、前記参照データをｎｕｌｌに設定することを特徴とする請求項１４ないし１６のいずれか１項に記載の画像処理装置。
【請求項１８】
前記複数の色材はシアン、マゼンタおよびイエローを含み、
前記閾値取得手段は、シアンに対して第１の閾値マトリクスを、マゼンタおよびイエローに対して前記第１の閾値マトリクスとは異なる第２の閾値マトリクスを設定し、
前記参照色設定手段は、シアンおよびマゼンタに対して前記参照データをｎｕｌｌに、イエローに対して前記参照データをマゼンタの多値データに設定することを特徴とする請求項１４ないし１６のいずれか１項に記載の画像処理装置。
【請求項１９】
前記複数の色材はシアン、マゼンタおよびイエローを含み、
前記閾値取得手段は、シアンおよびイエローに対して第１の閾値マトリクスを、マゼンタに対して前記第１の閾値マトリクスとは異なる第２の閾値マトリクスを設定し、
前記参照色設定手段は、シアンおよびマゼンタに対して前記参照データをｎｕｌｌに、イエローに対して前記参照データをシアンの多値データに設定することを特徴とする請求項１４ないし１７のいずれか１項に記載の画像処理装置。
【請求項２０】
前記複数の色材はシアン、マゼンタ、イエローおよびブラックを含み、
前記閾値取得手段は、ブラック、シアンに対して第１の閾値マトリクスを、マゼンタおよびイエローに対して前記第１の閾値マトリクスとは異なる第２の閾値マトリクスを設定し、
前記参照色設定手段は、ブラックおよびマゼンタに対する前記参照データをｎｕｌｌに、シアンに対する前記参照データをブラックの多値データに、イエローに対する前記参照データをマゼンタの多値データに設定することを特徴とする請求項１４ないし１７のいずれか１項に記載の画像処理装置。
【請求項２１】
前記複数の色材はシアン、マゼンタ、イエローおよびブラックを含み、
前記閾値取得手段は、ブラック、マゼンタに対して第１の閾値マトリクスを、シアンおよびイエローに対して前記第１の閾値マトリクスとは異なる第２の閾値マトリクスを設定し、
前記参照色設定手段は、ブラックおよびシアンに対する前記参照データをｎｕｌｌに、マゼンタに対する前記参照データをブラックの多値データに、イエローに対する前記参照データをシアンの多値データに設定することを特徴とする請求項１４ないし１７のいずれか１項に記載の画像処理装置。
【請求項２２】
第１の色のインクに対応する第１の多値データ、前記第１の色と別の第２の色のインクに対応する第２の多値データ、および前記第１の色および前記第２の色よりも明度が高い第３の色のインクに対応する第３の多値データを取得する取得工程と、
閾値マトリクスに配列された複数の閾値のうち、処理対象の画素の位置に応じた閾値を用いて、前記取得工程によって取得された前記第１の多値データ、前記第２の多値データおよび前記第３の多値データを量子化することにより、前記第１の色のインクに対応する第１の量子化データ、前記第２の色のインクに対応する第２の量子化データおよび前記第３の色のインクに対応する第３の量子化データを生成する生成工程と、
を有し、
前記第１の量子化データ、前記第２の量子化データおよび前記第３の量子化データに基づいてインクを吐出する記録手段により記録媒体に画像を記録するためのデータ処理を行う画像処理方法であって、
前記生成工程は、前記第１の多値データと第１の閾値マトリクスに配された閾値とを比較して前記第１の量子化データを生成し、前記第２の多値データと前記第１の閾値マトリクスと異なる第２の閾値マトリクスに配された閾値とを比較して前記第２の量子化データを生成し、前記第２の多値データと比較される閾値と前記第２の多値データと前記第３の多値データとに基づいて前記第３の量子化データを生成することを特徴とする画像処理方法。
【請求項２３】
前記生成工程は、前記第２の多値データに基づいて前記第２の多値データとの比較に用いられた閾値をオフセットし、当該オフセットされた閾値と前記第３の多値データとを比較して前記第３の量子化データを生成することを特徴とする請求項２２に記載の画像処理方法。
【請求項２４】
前記第３の色はイエローであり、前記第１の色および前記第２の色の一方はシアン、他方はマゼンタであることを特徴とする請求項２２または２３に記載の画像処理方法。
【請求項２５】
前記生成工程は、前記第１の多値データと前記第１の閾値マトリクスに配された閾値とを比較して前記第１の量子化データを生成し、前記第１の色のインク、前記第２の色のインク及び前記第３の色のインクのいずれとも異なる色の第４の色のインクに対応する第４の多値データと前記第１の閾値マトリクスに配された閾値と、前記第１の多値データと、に基づいて前記第４の色に対応する第４の量子化データを生成することを特徴とする請求項２２または２３に記載の画像処理方法。
【請求項２６】
前記第１の色はブラック、前記第２の色はマゼンタ、前記第３の色はイエロー、前記第４の色はシアンであることを特徴とする請求項２５に記載の画像処理方法。
【請求項２７】
ハイライトから中間濃度の領域において、前記第１の色のインクを用いた記録は行われないことを特徴とする請求項２５または請求項２６に記載の画像処理方法。
【請求項２８】
ＲＧＢデータを記録に用いられるインクに対応する多値データに変換する変換工程をさらに有し、前記取得工程は前記変換工程によって変換されることで得られた前記多値データを取得することを特徴とする請求項２２ないし２７のいずれか１項に記載の画像処理方法。
【請求項２９】
中間濃度より低い低階調領域の濃度を示す多値データの入力値に対して得られるドットパターンの周波数解析結果において、低周波領域の強度が高周波領域の強度よりも小さいことを特徴とする請求項２２ないし２８のいずれか１項に記載の画像処理方法。
【請求項３０】
前記第１の閾値マトリクスと前記第２の閾値マトリクスは、それぞれブルーノイズ特性を有していることを特徴とする請求項２２ないし２９のいずれか１項に記載の画像処理方法。
【請求項３１】
前記第１の閾値マトリクスおよび前記第２の閾値マトリクスのそれぞれは、中間濃度より低い低階調領域の濃度を示す多値データの入力値に対して得られるドットパターンの周波数解析結果において、最大強度への立ち上がりを伴うピークに相当する周波数であるプリンシパル周波数より低い周波数の強度がプリンシパル周波数より高い周波数のパワーよりも抑えられていることを特徴とする請求項２２ないし３０のいずれか１項に記載の画像処理方法。
【請求項３２】
量子化データは３値以上のデータであることを特徴とする請求項２２ないし３１のいずれか１項に記載の画像処理方法。
【請求項３３】
量子化データは２値データであることを特徴とする請求項２２ないし３１のいずれか１項に記載の画像処理方法。
【請求項３４】
複数の色材を用いて記録媒体に画像を記録するためのデータを処理する画像処理方法であって、
処理対象の画素について、前記複数の色材のそれぞれに対応する多値データを取得するデータ取得工程と、
複数の閾値が配列されて構成される閾値マトリクスの複数の中から１つの閾値マトリクスを、前記複数の色材のそれぞれについて設定し、設定された閾値マトリクスより前記処理対象の画素に対応する第１の閾値を取得する閾値取得工程と、
前記複数の色材のそれぞれについて、前記閾値取得工程により取得された第１の閾値に対して所定の処理を施すために参照する参照データを前記複数の色材の多値データより設定する参照色設定工程と、
前記複数の色材のそれぞれについて、前記第１の閾値に対し、前記参照色設定工程により設定された前記参照データに基づいて前記所定の処理を施すことにより、第２の閾値を算出する算出工程と、
前記複数の色材のそれぞれについて、前記多値データと前記第２の閾値を比較することにより、ドットを記録するための量子化データを生成する生成工程と
を有し、
前記閾値取得工程および前記参照色設定工程は、前記量子化データによって定まる前記複数の色材それぞれのドットパターンの粒状感が、前記複数の色材それぞれのドットパターンを混在して得られる混在ドットパターンの粒状感よりも小さくなるように、前記複数の色材のそれぞれについて前記閾値マトリクスと前記参照データを設定することを特徴とする画像処理方法。
【請求項３５】
請求項１ないし２１のいずれか１項に記載の画像処理装置の各手段としてコンピュータを機能させるためのプログラム。
【手続補正２】
【補正対象書類名】明細書
【補正対象項目名】発明の名称
【補正方法】変更
【補正の内容】
【発明の名称】画像処理装置、画像処理方法およびプログラム
【手続補正３】
【補正対象書類名】明細書
【補正対象項目名】０００１
【補正方法】変更
【補正の内容】
【０００１】
本発明は、量子化処理を行って記録媒体に画像を形成するための画像処理装置、画像処理方法およびプログラムに関する。
【手続補正４】
【補正対象書類名】明細書
【補正対象項目名】００１４
【補正方法】変更
【補正の内容】
【００１４】
そのために本発明は、第１の色のインクに対応する第１の多値データ、前記第１の色と別の第２の色のインクに対応する第２の多値データ、および前記第１の色および前記第２の色よりも明度が高い第３の色のインクに対応する第３の多値データを取得する取得手段と、閾値マトリクスに配列された複数の閾値のうち、処理対象の画素の位置に応じた閾値を用いて、前記取得手段によって取得された前記第１の多値データ、前記第２の多値データおよび前記第３の多値データを量子化することにより、前記第１の色のインクに対応する第１の量子化データ、前記第２の色のインクに対応する第２の量子化データおよび前記第３の色のインクに対応する第３の量子化データを生成する生成手段と、を備え、前記第１の量子化データ、前記第２の量子化データおよび前記第３の量子化データに基づいてインクを吐出する記録手段により記録媒体に画像を記録するためのデータ処理を行う画像処理装置であって、前記生成手段は、前記第１の多値データと第１の閾値マトリクスに配された閾値とを比較して前記第１の量子化データを生成し、前記第２の多値データと前記第１の閾値マトリクスと異なる第２の閾値マトリクスに配された閾値とを比較して前記第２の量子化データを生成し、前記第２の多値データと比較される閾値と前記第２の多値データと前記第３の多値データとに基づいて前記第３の量子化データを生成することを特徴とする。
【手続補正５】
【補正対象書類名】明細書
【補正対象項目名】００２９
【補正方法】変更
【補正の内容】
【００２９】
紙間選択レバー１００８は、記録ヘッド１０３のインク吐出面と記録媒体表面との間隔を調整するためのレバーである。カードスロット１００９は、メモリカードを装着可能なアダプタを受容するための開口部である。メモリカードに記憶されている画像データは、カードスロット１００９に挿入されたアダプタを介して記録装置の制御部３０００に送られ、所定の処理を施した後に記録媒体に記録される。このメモリカード（ＰＣ）としては、例えばコンパクトフラッシュ（登録商標）、スマートメディア、メモリスティック等が挙げられる。ビューワ（液晶表示部）１０１１は、メモリカードに記憶されている画像の中から印刷したい画像を検索する場合などに、１コマ毎の画像やインデックス画像などを表示する。本実施形態において、ビューワ１０１１は記録装置１本体に着脱可能になっている。端子１０１２はデジタルカメラを接続するための端子であり、端子１０１３はパーソナルコンピュータ（ＰＣ）を接続するためのＵＳＢバスコネクタである。